(57)【特許請求の範囲】
【請求項１】
再生側の記録媒体に記録されている情報を再生し、記録側の記録媒体に複製記録する情報再生・記録装置であり、
前記再生側の記録媒体に記録されている固有情報を読み取る固有情報検出手段と、
前記記録側の記録媒体に記録されているＩＤ情報を読み取るＩＤ情報検出手段と、
前記固有情報検出手段が検出する固有情報と、前記ＩＤ情報検出手段が検出するＩＤ情報とが対応付けられて格納される履歴情報格納手段と、
前記固有情報と前記ＩＤ情報とに基づいて、前記再生側の記録媒体から再生した情報の前記記録側の記録媒体への複製記録の認可・不認可の判定を行なう判定手段と、
該判定手段により複製記録認可の判定が行なわれると、前記複製記録を実行し、前記判定手段により複製記録録不認可の判定が行なわれると、前記複製記録の実行を禁止する複製制御手段と
を有することを特徴とする情報再生・記録装置。
【請求項２】
請求項１記載の情報再生・記録装置において、前記判定手段は、前記固有情報検出手段により、著作物情報に対応するＩＤ情報が検出される前記再生側の記録媒体の記録情報が、ＩＤ情報検出手段により、ＩＤ情報が検出される前記記録側の記録媒体と同一種類の記録媒体に対して、予め設定した回数再生記録されていない場合に、複製記録認可の判定を行なうことを特徴とする情報再生・記録装置。
【請求項３】
請求項１記載の情報再生・記録装置において、前記複製制御手段により制御される前記複製記録の速度が、通常の再生・記録速度の２倍速以上であることを特徴とする情報再生・記録装置。
【請求項４】
再生側の記録媒体に記録されている情報を再生し、記録側の記録媒体に複製記録する情報再生・記録装置であり、
前記再生側の記録媒体に記録されている固有情報を読み取る固有情報検出手段と、
前記記録側の記録媒体に記録されているＩＤ情報を読み取るＩＤ情報検出手段と、
前記固有情報検出手段が検出する固有情報と、前記ＩＤ情報検出手段が検出するＩＤ情報とが対応付けられて格納される履歴情報格納手段と、
前記固有情報と前記ＩＤ情報とに基づいて、前記再生側の記録媒体から再生した情報の前記記録側の記録媒体への複製記録の認可・不認可の判定を行なう判定手段と、
該判定手段により複製記録認可の判定が行なわれると、前記複製記録を実行し、前記判定手段により複製記録録不認可の判定が行なわれると、前記複製記録の実行を禁止する複製制御手段と
を有し、かつ前記再生側の記録媒体のＩＤ情報、前記記録側の記録媒体のＩＤ情報、再生・記録日時、照合暗号をエンコードして、電子透かしを形成する電子透かし形成手段と、
前記電子透かしと前記照合暗号とを、前記記録側の記録媒体に書き込む情報書込手段と
が設けられていることを特徴とする情報再生・記録装置。
【請求項５】
請求項４記載の情報再生・記録装置において、前記判定手段は、前記固有情報検出手段により、著作物情報に対応するＩＤ情報が検出される前記再生側の記録媒体の記録情報が、ＩＤ情報検出手段により、ＩＤ情報が検出される前記記録側の記録媒体と同一種類の記録媒体に対して、予め設定した回数再生記録されていない場合に、複製記録認可の判定を行なうことを特徴とする情報再生・記録装置。
【請求項６】
請求項４記載の情報再生・記録装置において、前記複製制御手段により制御される前記複製記録の速度が、通常の再生・記録速度の２倍速以上であることを特徴とする情報再生・記録装置。
【発明の詳細な説明】
【０００１】
【発明の属する技術分野】
本発明は、情報の再生・記録を行なう情報再生・記録装置に係り、特に音楽や映像などの著作権を有するソフトウェアを、著作権保護の条件下で複製する情報再生・記録装置に関する。
【０００２】
【従来の技術】
近年、音楽や映像などのソフトウェアの流通媒体が、多様化かつ複雑化しており、一方で、音楽、映像、コンピュータのプログラムなどのデジタル情報は、記録媒体に複製記録を繰り返しても劣化することがないために、著作権を有するソフトウェアではその保護が重要な問題となっている。
【０００３】
図２（ａ）に示すように、再生ドライブ１６によって、著作権を有する情報が記録されているＣＤ（Ｃｏｍｐａｃｔ  ｄｉｓｋ）１７から再生した情報を、記録ドライブ１８によって、記録可能なＭＤ（Ｍｉｎｉ  ｄｉｓｋ：ソニー株式会社商標）２０ａに記録すると、ＣＤ１７の著作権を有する記録情報がＭＤ１７に複製記録される。従って、同図（ｂ）に示すように、該情報が記録されたＭＤ２０ａを、再生ドライブ１６に装着して該情報を再生し、記録ドライブ１８に装着した新しいＭＤ２０ｂに、該情報を複製記録することが可能である。
【０００４】
このような処理を繰り返すことにより、ＣＤ１７に記録されている著作権を有する情報を、ＭＤ２０ａ、ＭＤ２０ｂ・・・と多数の記録媒体に複製記録することが可能になり著作権の保護が問題となる。
【０００５】
この問題を解決するために、ＳＣＭＳ（Ｓｅｒｉａｌ  Ｃｏｐｙ  Ｍａｎａｇｅｍｅｎｔ  Ｓｙｓｔｅｍ）により、著作権を有する情報の複製記録を、ディジタルインタフェースを介してディジタル記録する場合には、個人で利用する範囲と判定される１回だけ複製記録を認容する方法が採用されている。
【０００６】
このＳＣＭＳを採用することにより、図３（ａ）に示すように、再生ドライブ１６によって、著作権を有する情報が記録されているＣＤ１７から再生した情報を、記録ドライブ１８によって、例えばＤＡＴ（Ｄｉｇｉｔａｌ  ａｕｄｉｏ
ｔａｐｅ  ｒｅｃｏｒｄｅｒ）２１ａに複製記録することができる。そして、同図（ｂ）に示すように、再生ドライブ１６によって、該情報が複製記録されたＤＡＴ２１ａから情報を再生して、記録ドライブ１８によって、ＭＤ２０ａに複製記録することは禁止される。
【０００７】
同様に、ＳＣＭＳを採用することにより、図４（ａ）に示すように、再生ドライブ１６によって、著作権を有する情報が記録されているＣＤ１７から再生した情報を、記録ドライブ１８によって、例えばＨＤＤ（Ｈａｒｄ  ｄｉｓｋ  ｄｒｉｖｅ）２２ａに複製記録することができる。この場合も、同図（ｂ）に示すように、再生ドライブ１６によって、該情報が記録されたＨＤＤ２２ａから、情報を再生して記録ドライブ１８によって、該情報が複製記録されたＨＤＤ２２ａから情報を再生して、記録ドライブ１８によって、ＭＤ２０ａに複製記録することは禁止される。
【０００８】
【発明が解決しようとする課題】
前述したように、ＳＣＭＳを採用することにより、著作権を有する情報が記録されている記録媒体から、該情報が複製記録された記録媒体は、個人的な利用に制限され、さらに他の記録媒体への該記録媒体の複製記録が禁止され、著作権の保護の目的は達成される。
【０００９】
しかし、利用者が著作権を有する情報が記録された記録媒体から、該情報をＨＤＤに記録して必要な編集を施し、その後に携帯に便利なＭＤに編集済の情報を記録して個人的に利用することができないという不便さがある。
また、ＳＣＭＳはデジタルインタフェース上では実現されるが、複製記録が行なわれた記録媒体を、複製情報は多少劣化するがアナログ記録することは可能であるという問題も存在する。
【００１０】
他方で、近年ＭＤチェンジャが使用されるようになり、図５に示すように、このＭＤチェンジャー２３を、記録ドライブ１８に装着し、再生ドライブ１６によって、著作権を有する情報が記録されているＣＤ１７から再生された情報の記録を行なうと、ＭＤチェンジャ２３が受け入れる枚数のＣＤに自動的に記録が行なわれ、著作権の保護の上で問題が生ずる可能性がある。
【００１１】
一般に家庭内で、例えばＣＤからＭＤに複製記録するのは、携帯性の優れた記録媒体に情報を記録して個人的に利用したいということであり、また、ＨＤＤに記録した情報に編集処理を施した後に、例えばＭＤに複製記録することも、個人の嗜好に合うように編集した情報を個人的に利用したいということであり、何れも著作権を侵害するものではない。
これに対して、著作権を侵害する行為に結び付くのは、同一種類の多数の記録媒体に同時に複製記録を行なうことである。
【００１２】
本発明は、前述したような著作権を有する情報の複製記録の現状に鑑みてなされたものであり、その目的は、著作権を有する情報が記録された記録媒体からの著作権の侵害に結び付く複製記録を禁止し、且つ著作権の侵害に結び付かない個人的な利用を適確に判定して、複製記録を可能にする情報再生・記録装置を提供することにある。
【００１３】
【課題を解決するための手段】
前記目的を達成するために、請求項１記載の発明は、再生側の記録媒体に記録されている情報を再生し、記録側の記録媒体に複製記録する情報再生・記録装置であり、前記再生側の記録媒体に記録されている固有情報を読み取る固有情報検出手段と、前記記録側の記録媒体に記録されているＩＤ情報を読み取るＩＤ情報検出手段と、前記固有情報検出手段が検出する固有情報と、前記ＩＤ情報検出手段が検出するＩＤ情報とが対応付けられて格納される履歴情報格納手段と、前記固有情報と前記ＩＤ情報とに基づいて、前記再生側の記録媒体から再生した情報の前記記録側の記録媒体への複製記録の認可・不認可の判定を行なう判定手段と、該判定手段により複製記録認可の判定が行なわれると、前記複製記録を実行し、前記判定手段により複製記録録不認可の判定が行なわれると、前記複製記録の実行を禁止する複製制御手段とを有することを特徴とするものである。
【００１４】
同様に前記目的を達成するために、請求項４記載の発明は、再生側の記録媒体に記録されている情報を再生し、記録側の記録媒体に複製記録する情報再生・記録装置であり、前記再生側の記録媒体に記録されている固有情報を読み取る固有情報検出手段と、前記記録側の記録媒体に記録されているＩＤ情報を読み取るＩＤ情報検出手段と、前記固有情報検出手段が検出する固有情報と、前記ＩＤ情報検出手段が検出するＩＤ情報とが対応付けられて格納される履歴情報格納手段と、前記固有情報と前記ＩＤ情報とに基づいて、前記再生側の記録媒体から再生した情報の前記記録側の記録媒体への複製記録の認可・不認可の判定を行なう判定手段と、該判定手段により複製記録認可の判定が行なわれると、前記複製記録を実行し、前記判定手段により複製記録録不認可の判定が行なわれると、前記複製記録の実行を禁止する複製制御手段とを有し、かつ前記再生側の記録媒体のＩＤ情報、前記記録側の記録媒体のＩＤ情報、再生・記録日時、照合暗号をエンコードして、電子透かしを形成する電子透かし形成手段と、前記電子透かしと前記照合暗号とを、前記記録側の記録媒体に書き込む情報書込手段とが設けられていることを特徴とするものである。
【００１５】
【発明の実施の形態】
以下に、本発明の一実施の形態を図１を参照して説明する。
図１は本実施の形態の構成を示すブロック図である。
【００１６】
本実施の形態に係る情報再生・記録装置２４には、図１に示すように、著作権を有する音楽や映像などの著作物の情報が記録されたＣＤなどの記録媒体１２が装着される再生側装着部２５と、前記著作物の情報の記録が行なわれるＭＤなどの記録媒体１４が装着される記録側装着部２６とが設けられ、記録媒体１２には、著作物の情報が記録担持されている記録情報担持領域１２ａと、ＩＳＲＣのように原典を表す著作物のＩＤ情報が記録される固有情報記録領域１２ｂとが設けられ、記録媒体１４には、著作物の情報が記録される記録情報担持領域１４ａと、記録媒体１４の種類を示すＩＤ情報が記録される固有情報記録領域１４ｂとが設けられている。
【００１７】
本実施の形態には、全体の動作を制御するＣＰＵ１が設けられ、このＣＰＵ１には、バスＢを介して、複製記録の認可・不認可の判定を行なう判定回路２、複製記録の履歴情報が格納される履歴メモリ３、記録媒体１２の再生動作を制御する再生回路５、及び記録媒体１２の固有情報を読み取る固有情報検出回路６が接続されており、再生回路５が、記録媒体１２の記録情報担持領域１２ａの記録情報を再生する再生ヘッド１３に接続され、固有情報検出回路６が、記録媒体１２の固有情報記録領域１２ｂに接続されている。
【００１８】
また、ＣＰＵ１には、バスＢを介して電子透かしの符号化を行なう電子透かしエンコーダ７、記録媒体１２から再生される著作物の情報の記録媒体１４への記録を制御する記録回路８、記録媒体１４のＩＤ情報を読み取るＩＤ検出回路１０、及び記録媒体１４に電子透かしデータと照合暗号データとを書込む情報書込回路１１が接続され、記録回路８が、記録媒体１４の記録情報担持領域１４ａへの記録を行なう記録ヘッド１５に接続され、ＩＤ検出回路１０と情報書込回路１１とが、記録媒体１４の固有情報記録領域１４ｂに接続されている。
【００１９】
このような構成の本実施の形態の動作を説明する。
本実施の形態では、例えば、著作権を有する音楽情報が記録されたＣＤが、記録媒体１２として再生側装着部２５に装着され、記録媒体１２の音楽情報の複製記録を行なおうとする例えば、ＭＤが記録媒体１４として、記録側装着部２６に装着され再生記録動作が開始される。
【００２０】
先ず、ＣＰＵ１の指令によって、固有情報検出回路６により、記録媒体１２の固有情報記録領域１２ｂから、ＩＳＲＣからの原典により記録媒体１２に担持されている著作物のＩＤ情報が読み出され、ＩＤ検出回路１０により、記録媒体１４の固有情報記録領域１４ｂから、記録媒体１４の種類を示すＩＤ情報が読み出される。次いで、ＣＰＵ１の指令によって、記録媒体履歴メモリ３から、記録媒体１２のＩＤ情報に基づいて、記録媒体１２が担持している音楽情報に対する過去の複製記録の履歴データが検索される。
この検索においては、ＣＰＵ１の指令によつて、判定回路２により、記録媒体１４と同一種類の記録媒体であるＭＤに、記録媒体１２に担持されている著作権を有する音楽情報が、過去に再生記録されているか否かの判定が行なわれる。
【００２１】
この場合、記録媒体１２に担持されている音楽情報が、過去に記録媒体１４と種類が同一のＭＤにすでに複製記録されていると判定されると、ＣＰＵ１の指令によって、記録回路８の動作が禁止され、記録媒体１４の記録動作は行なわれない。
【００２２】
一方、判定回路２によって、記録媒体１２に担持されている音楽情報が、未だ記録媒体１４と種類が同一のＭＤには複製記録されていないと判定されると、ＣＰＵ１の指令によって作動する再生回路５の制御により、再生ヘッド１３によって、記録媒体１２の記録情報担持領域１２ａから音楽情報が再生され、ＣＰＵ１の指令によって作動する記録回路８の制御により、記録ヘッド１５によって、記録媒体１２から再生された音楽情報が、記録媒体１４の記録情報担持領域１４ａに記録される。
【００２３】
このようにして、記録媒体１２に担持されている音楽情報の記録媒体１４への複製記録が終了すると、ＣＰＵ１によって、履歴メモリ３に記録媒体１２の音楽情報を示すＩＤ情報に対応付けて、記録媒体１４のＩＤ情報が示す同一種類の記録媒体への複製記録が行なわれた旨の情報が書込まれる。
【００２４】
履歴メモリ３に記録媒体１４と同一種類の記録媒体に複製記録が行なわれた旨の情報が書込まれると、記録媒体１４に複製記録された音楽情報を個人的に利用することはできるが、記録媒体１２に担持されている著作権を有する音楽情報を、さらに他のＭＤに複製記録することは以後禁止され、記録媒体１２に担持されている音楽情報の著作権が保護される。
【００２５】
また、記録媒体１２に担持されている音楽情報の記録媒体１４への複製記録が終了すると、ＣＰＵ１の指令によって、電子透かしエンコーダ７が作動し、記録媒体１２に担持されている音楽情報を示すＩＤ情報、記録媒体１４の種類を示すＩＤ情報、記録日時情報、照合暗号をエンコードし、電子透かしデータが作成され、ＣＰＵ１の指令によって、情報書込回路１１が作動し、電子透かしデータと照合暗号データとが、記録媒体１４の固有情報記録領域１４ｂに書込まれる。
【００２６】
このために、著作権を有する音楽情報が記録された記録媒体１４を、再生装着部２５に装着して、記録再生部２６に装着された記録媒体に該音楽情報を複製記録しようとすると、固有情報検出回路６によって、記録媒体１４に担持されている著作権を有する音楽情報を示すＩＤ情報が読み出され、ＩＤ検出回路１０によって、記録装着部２６に装着された記録媒体の種類が読み出され、履歴メモリ３に対して、該音楽情報が記録媒体１４と同一種類の記録媒体であるＭＤに、過去において複製記録されたことがあるか否かの検索が行なわれる。
【００２７】
従って、記録媒体１４を再生装着部２５に再生し、記録装着部２６に装着したＭＤに、記録媒体１４の音楽情報を複製記録することは、ＣＰＵ１によって禁止され、著作権を有する音楽情報の侵害となる複製記録は禁止される。
この場合、記録媒体１４に記録されている音楽情報を、ＭＤ以外の記録媒体、例えばＨＤＤに複製記録することは、音楽情報を個人的に編集をして利用しようとする場合であり、著作権の侵害行為ではないと判断して、複製記録が認可される。
また、記録媒体１４に複製記録された著作権を有する音楽情報を、ディジタルインタフェースを介さずに、アナログ記録しようとする場合には、電子透かしを検出することにより、記録が禁止される。
【００２８】
以上に説明したように、本実施の形態によると、ＣＰＵ１の指令によって、再生装着部２５に装着される記録媒体に記録されている著作権を有する音楽情報のＩＤ情報が、固有情報検出回路６によって検出され、記録装着部２６に装着される記録媒体の種類を示すＩＤ情報が、ＩＤ検出回路１０によって検出され、履歴メモリ３が検索されて、該音楽情報が、記録装着部に装着された記録媒体と同一種類の記録媒体に、過去にすでに複製記録されているか否かが、判定回路２によって判定され、すでに複製記録されていると判定されると、再生装着部に装着された記録媒体に記録されている音楽情報の記録装着部に装着されている記録媒体への複製記録が禁止される。
【００２９】
また、判定回路２によって、再生装着部に装着された記録媒体に記録されている音楽情報が、記録装着部に装着されている記録媒体と同一種類の記録媒体へは、未だ複製記録されていないと判定されると、この複製記録は著作権を有する音楽情報の個人的な利用と判断して、再生装着部に装着された記録媒体に記録されている音楽情報の記録装着部に装着されている記録媒体への複製記録が実行される。
【００３０】
このように、本実施の形態によると、同一種類の記録媒体への複製記録でない場合は、著作権を有する音楽情報の個人的な利用範囲と判定し、個人的な利用範囲を不当に制限することなく複製記録が行なわれ、一方では、著作権を有する音楽情報の同一種類の記録媒体への複製記録は、ディジタルインタフェースを介す場合に限らず、アナログ記録の場合でも厳格に禁止され、また、電子透かしデータと照合暗号データとの比較により、複製記録された記録媒体のデータの改竄も検出可能なので、著作権を有する音楽情報の権利を適確に保護することが可能になる。
【００３１】
また、従来のディジタルインタフェース（ＩＥＣ９５８）で、１倍速で複製記録する場合は従来通りとし、２倍速以上の速度で複製記録を行なう場合に、本実施の形態の方式を採用して、複製記録速度の面で何れの方式によるかによる区分を行なって、従来方式との兼ね合いを、著作権者と利用者の容認し易い形にすることも可能である。
【００３２】
【発明の効果】
請求項１記載の発明によると、固有情報検出手段によって、再生側の記録媒体に記録されている固有情報が読み取られ、ＩＤ情報検出手段によって、記録側の記録媒体に記録されているＩＤ情報が読み取られ、検出された固有情報とＩＤ情報とが対応付けられて、履歴情報格納手段に格納され、判定手段によって、固有情報とＩＤ情報とに基づいて、再生側の記録媒体から再生される情報の記録側の記録媒体への複製記録の認可・不認可の判定が行なわれ、判定手段が複製記録認可の判定を行なうと、複製制御手段によって複製記録が実行され、判定手段が複製不認可の判定を行なうと、複製制御手段によって複製記録の実行が禁止されるので、再生側の記録媒体に著作権を有する情報が記録されている場合に、予め設定した認可・不認可の判定条件に従って、再生側の記録媒体から再生される情報の記録側の記録媒体への複製記録が行なわれ、著作権を保護し且つ個人的な利用に不当な制限を与えずに、著作権を有する情報の複製記録を行なうことが可能になる。
【００３３】
請求項２記載の発明によると、固有情報検出手段により著作物情報に対応するＩＤが検出される再生側の記録媒体の記録情報が、ＩＤ情報検出手段により検出される記録側の記録媒体と同一種類の記録媒体に対して、予め設定した回数再生記録されていない場合に、判定手段によって複製記録認可の判定が行なわれて、複製記録が行なわれ、請求項１記載の発明で得られる効果を実現することが可能になる。
【００３４】
請求項３記載の発明によると、複製制御手段による複製記録の速度が、通常の再生・記録速度の２倍速以上に設定された状態で、請求項１記載の発明で得られる効果を実現することが可能になる。
【００３５】
請求項４、請求項５または請求項６記載の発明によると、請求項１ないし請求項３の何れかに記載の発明で得られる効果に加えて、電子透かし形成手段によって、再生側の記録媒体のＩＤ、記録側の記録媒体のＩＤ、再生・記録日時、照合暗号がエンコードされて、電子透かしが形成され、情報書込手段によって、電子透かしと照合暗号とが、記録側の記録媒体に書き込まれるので、不当なアナログ記録も禁止されると共に、照合暗号により記録媒体の内容が不当に改竄されたことを検知することが可能になる。
【図面の簡単な説明】
【図１】本発明の一実施の形態の構成を示すブロック図である。
【図２】著作権を有するソフトウェアの複製記録の説明図である。
【図３】ＳＣＭＳによる複製記録制限の説明図である。
【図４】ＳＣＭＳによる複製記録制限の他の説明図である。
【図５】ＭＤチェンジャーによる複製記録の説明図である。
【符号の説明】
１…ＣＰＵ、２…判定回路、３…履歴メモリ、５…再生回路、６…固有情報検出回路、７…電子透かしエンコーダ、８…記録回路、１０…ＩＤ検出回路、１１…情報書込回路、１２…記録媒体、１２ａ…記録情報担持領域、１２ｂ…固有情報記録領域、１３…再生ヘッド、１４…記録媒体、１４ａ…記録情報担持領域、１４ｂ…固有情報記録領域、１５…記録ヘッド、１６…再生ドライブ。
【図１】
0003941225.tif 000002
【図２】
0003941225.tif 000003
【図３】
0003941225.tif 000004
【図４】
0003941225.tif 000005
【図５】
0003941225.tif 000006